(57)【特許請求の範囲】
【請求項１】
前後端部にそれぞれ開口を有する中空状の錠箱と、この錠箱にスライド可能に内装されたスライドロック板と、前記錠箱に差込み自在に挿入され、かつ、解錠時にスライドロック板を前端部開口へと摺動させるプレート状合鍵とから成り、前記スライドロック板の先端部には、施錠時スライドファスナーの引き手をロック状態に係止する掛止突起が形成されていることを特徴とするスライドファスナー錠。
【請求項２】
請求項１に於いて、錠箱はスライドファスナーの引き手をロック状に係止した掛止突起で吊り下げられていることを特徴とするスライドファスナー錠。
【請求項３】
請求項１に於いて、掛止突起はスライドロック板の先端部に延設する山形状の連設部に形成されていることを特徴とするスライドファスナー錠。
【請求項４】
かばん類の壁面に取付ベース板５０を介して固着され、かつ、前後端部にそれぞれ開口を有する中空状の錠箱７Ａと、この錠箱にスライド可能に内装されたスライドロック板２１と、前記錠箱７Ａに差込み自在に挿入され、かつ、解錠時にスライドロック板を前端部開口へと摺動させるプレート状合鍵４１とから成り、前記スライドロック板の先端部には、施錠時スライドファスナーの引き手をロック状態に係止する掛止突起２６が形成されていることを特徴とするスライドファスナー錠。
【発明の詳細な説明】
【０００１】
【発明の属する技術分野】
本発明はスライドファスナー錠に関し、特にかばん類のファスナーに適合するスライドファスナー錠に関する。
【０００２】
【従来の技術】
従来、かばん類のファスナーに適合するスライドファスナー錠には、南京錠が使用されている。一般に南京錠は箱型の錠箱と、この錠箱に突出状態に設けられた逆字状の施錠フックとから成り、前記錠箱の底壁には合鍵用のキー孔（キー溝）を有する回動体が設けられている。したがってこの種の南京錠を解錠するには合鍵用の鍵をキー孔に差し込み、回転させ、かつ、施解錠時に逆字状の施錠フックを回転させる必要があった。そで現在、合鍵を廻すことなくスライドファスナー錠をワンタッチで解錠することが要望されている。
【０００３】
【発明が解決しようとする課題】
本発明は以上のような従来の要望点に鑑み、第１の目的は、施錠状態にあるスライドファスナー錠を、錠箱に合鍵を差込むだけで、解錠することができること。つまり、ワンタッチ操作で解錠することができることである。第２の目的は、所望の位置にアバウト状態で閉止したスライドファスナーの引き手を、スライドロック板を錠箱に押し込むだけで、又は合鍵を引く操作だけで施錠することができる。つまり、施錠操作も容易であること。第３の目的は、所定の位置に閉止したスライドファスナーの引き手を、スライドロック板を内装した錠箱で簡単に施解錠することができることである。
【０００４】
【課題を解決するための手段】
本発明のスライドファスナー錠は、前後端部にそれぞれ開口を有する中空状の錠箱と、この錠箱にスライド可能に内装されたスライドロック板と、前記錠箱に差込み自在に挿入され、かつ、解錠時にスライドロック板を前端部開口へと摺動させるプレート状合鍵とから成り、前記スライドロック板の先端部には、施錠時スライドファスナーの引き手をロック状態に係止する掛止突起が形成されていることを特徴とする。
【０００５】
上記構成に於いて、錠箱はスライドファスナーの引き手をロック状に係止した掛止突起で吊り下げられていることを特徴とする。また、錠箱は取付けベース板を介してかばん類の所定の位置に固定されていることを特徴とする。
【０００６】
【発明の実施の形態】
図１は、本発明の実施形態の一例を示す斜視図である。１は書類入れかばん、ノートパソコン入れかばん、袋物などのカバン類である。２はカバン類の開口部に縫着された両側テープで、これらの両側テープ２，２は、公知のように各務歯３を有する。４は両側テープ２，２に沿って摺動する二枚のスライダであり、これらのスライダ４，４にはそれぞれ自由端部に円形の係合孔５，５が形成された引き手６，６が取り付けられている。
【０００７】
次にＸはぶら下り型スライドファスナー錠である。このスライドファスナー錠Ｘは、基本的には前（先）後端部にそれぞれ開口８，９を有する中空状の錠箱７と、この錠箱にスライド可能に内装されたスライドロック板２１と、前記錠箱７に差込み自在に挿入され、かつ、解錠時にスライドロック板２１を前端部開口へと摺動させるプレート状合鍵４１とから成る。そこで、これらの各部材を順番に説明する。
【０００８】
まず錠箱７の外観は、全体として普通一般の消しゴム形状或いは指で摘むことができる程度の箱型形状をしている。施錠状態の図１を基準にすると、先端部には引き手６，６が重合状態で入り込む窓状の開口８が形成され、一方、後端部には合鍵４１の合鍵部が入り込む窓状の開口９が形成されている。錠箱７の側壁には、滑り止め用の縦溝１０が所定間隔を有して複数個形成されている。錠箱７は、組み合わせの際にスライドロック板２１を簡単に内装するために、鉤状の係合腕１１，１１を有する基盤１２と、この基盤１２と一体的に係合する枠状体１３とから成る。
【０００９】
ここで、図３を基準に枠状体１３の構造を説明する。図２に示した枠状体をひっくり返したのが図３である。図３において、１４は基盤１２と対向する水平の対向壁部で、この対向壁部１４の内壁面には、複数個の凹所１５が形成されている。１６は対向壁部１４の縁部に直角状態に連設する左右の側壁部で、これらの側壁部の外壁面には、前述したように複数個の滑り止め用縦溝１０が形成されている。
【００１０】
しかして、前述した先端部の開口８は、やや肉厚のある先端の側壁部を切欠することによって形成され、一方、後端部の開口９は、後端の側壁部を切欠することによって形成されている。そして、これらの切欠によって残った突起状四隅部１７は、
スライドロック板２１の移動範囲を規制する規制部分となっている。１９は後端側の突起状隅部１７，１７の外壁に形成された受け溝で、これらの受け溝１９には前述した基盤１２の鉤状係合腕１１，１１がぴったりと入り込む。
【００１１】
ところで、前記凹所には、図４で示すようにクリックボール３０を付勢するクリックバネ３１、第１グループの可動障害子３２を直接付勢する障害子バネ３３がそれぞれ適宜に組込まれる。
【００１２】
次にスライドロック板２１について説明する。図２は上方から見た斜視図であり、一方、図３は、図２の要部をひっくり返した斜視図である。そこで、図２を基準にすると、２２は矩形状の摺動部で、この摺動部２２には枠状体１３の凹所１５に対してそれぞれ対向可能な貫通孔２３が形成されている。そして、これらの貫通孔２３には合鍵４１の挿入によって交差方向へと移動可能な第２グループ可動障害子２４が組込まれている。
【００１３】
２５は矩形状摺動部の四隅に形成された切欠部であり、これらの切欠部２５によって現れた壁面は、前述した枠状体１４の四隅１７のストッパー機能を有する内壁面と当接可能である。
【００１４】
２６はスライドロック板２１の先端部に延設する山形状の連設部２７に交差して形成され、かつ、施錠時にスライドファスナーの二枚の重ね合わせた引き手６，６をロック状態に係止する掛止突起である。ここで、図３を基準にしてさらにスライドロック板２１を説明する。２８はスライドロック板２１の一側面に形成された合鍵用の嵌合凹所で、この嵌合凹所２８は前述した貫通孔２３と連通している。２９は嵌合凹所２８を形成することによって現れた合鍵４１用の受け面である。４０は複数個の合鍵４１用案内突起で、これらの案内突起４０は嵌合凹所２８の後端部内壁面に所定間隔を有して設けられている。
【００１５】
最後に合鍵４１について説明する。図１又は図２に示すように、合鍵４１は摘み部４２と、この摘み部４２から突出する合鍵部４３とから成り、前記合鍵部４３には挿入方向にスライドロック板２１の案内突起４０と係合する複数本の長溝４４が形成されている。そして、前記長溝４４には、それぞれ枠状体１３側の第２グループの可動障害子２４がそれぞれ係合する溝、小孔などの係合部４５が形成されている。
【００１６】
上記構成において、図１及び図４の一番上方の概略断面図は、かばん類のスライドファスナーの引き手６，６が重ね合わせかつロックされている状態をそれぞれ示している。この場合錠箱７内に後退したスライドロック板２１の掛止突起２６が引き手６，６を介して施錠している。掛止突起２６を亀の頭に例えれば、恰も頭が胴体（錠箱）内に入り込んだ状態である。このためスライダ４，４の引き手６、６を摘んでファスナーを移動すことが出来ない。
【００１７】
そこで、引き手６、６を摘んでファスナーを開こうとする場合には、合鍵４１を錠箱７内に差し込む必要がある。この場合合鍵部４２は、スライドロック板２１の嵌合凹所２８へと挿入される。そうすると、第１及び第２グループ可動障害子３２，２４（通称：ピンタンブラー）が接合ライン（「シャーライン」）にそれぞれ移動する。
【００１８】
しかして、合鍵４２をさらに押しこむと、図４の一番下方の概略図及び図５で示すように、スライドロック板２１は合鍵４２を介して先端部開口８方向へと摺動し、その掛止突起２６が該先端部開口８から出る。つまり、亀の頭が胴体（錠箱）から出る。そこで、引き手６、６を掛止突起２６から外す。なお、引き手６、６を掛止突起２６から外した後は、指で掛止突起２６を押し戻し、合鍵を抜き取ると初期状態に戻る。
【００１９】
【実施例】
本発明の一実施例に於いて、スライドロック板２１の掛止突起２６は１個であるが、左右一対の引き手６，６を並列状態でロックする場合には、もちろん、係止突起２６を並列的に一対設けても良い。
【００２０】
図６及び図７は、本発明の第３目的を達成するための第２実施例である。この第２実施例の説明に当たって前記第１の実施例と同一の部分には、同一又は同様の符号を付し、重複する説明を省略する。
【００２１】
この第２実施例が第１実施例と主に異なる点は、がはん類１に錠箱７Ａを固定するために、取付けベース板５０と、錠箱７Ａをこの取付けベース板５０に固着するための固着手段５１が設けられていることである。
【００２２】
しかして、取付けベース板５０の四隅部には、それぞれ貫通孔５２が形成されている。なお、取付けベース板５０に貫通孔５２が形成されているので、これらの貫通孔５２に符合するように錠箱７Ａの基盤１２Ａにはネジ孔５３が形成されている。
【００２３】
上記構成においては、図７で示すように、がはん類１の所定の部位に、いわゆるサンドイッチ状態に取付けベース板５０と錠箱７Ａの基盤１２Ａが固着手段５１を介して固定される。なお、この場合取付けベース板５０はかばん類１の裏側壁面に、一方、基盤１２Ａはかばん類１の表側壁面に対向状態に合わせ、かつ、固着手段５１を貫通孔５２から通して錠箱７Ａをかばん類１に固着する。
【００２４】
この実施例の場合には、引き手６，６を所定の位置までスライドさせる不便さがあるものの、錠箱７Ａを南京錠にように常に持ち歩く必要性がないという利点がある。
【００２５】
【発明の効果】
以上の説明から明らかなように、本発明にあっては、次に列挙するような作用・効果がある。
（１）施錠状態にあるスライドファスナー錠を、錠箱に合鍵を差込むだけで、解錠することができる。いわゆるワンタッチ操作で解錠することができる。つまり、施錠操作も容易であること。
（２）所望の位置にアバウト状態で閉止したスライドファスナーの引き手を、スライドロック板を錠箱に押し込むだけで、又は合鍵を引く操作だけで施錠することができる。
（３）所定の位置に閉止したスライドファスナーの引き手を、スライドロック板をワンタッチ操作するだけで解錠等することができる。また錠箱７Ａを南京錠にように常に持ち歩く必要性がない。
【図面の簡単な説明】
図１乃至図５は、本発明の第１実施例を示す各説明図である。図６乃至図７は本発明の第２実施例を示す各説明図である。
【図１】本発明の実施形態の一例を示す斜視図。
【図２】本発明の上方から見た分解斜視図。
【図３】図２の要部をひっくり返した斜視図。
【図４】本発明の施錠状態から解錠状態への説明図。
【図５】本発明の解錠状態の説明図。
【図６】第２実施例の上方から見た分解斜視図。
【図７】第２実施例の使用状態の概略断面図。
【符号の説明】
１…カバン類、２…両側テープ、３…各務歯３、４…スライダ、５…係合孔、６…引き手、Ｘ…スライドファスナー錠、７，７Ａ…錠箱、８，９…開口、１０…滑り止め用縦溝、１１…係合腕、１２…基盤、１３…枠状体、１４…対向壁部、１５…凹所、１６…左右の側壁部、１７…突起状四隅部、１９…受け溝、  ２１…スライドロック板、２２…矩形状の摺動部、２３…貫通孔、２３…貫通孔、２４…第２グループ可動障害子、２５…切欠部、２６…掛止突起、２８…嵌合凹所、２９…受け面、３０…クリックボール、３１…クリックバネ、３２…第１グループの可動障害子、３３…障害子バネ、４０…案内突起、４１…合鍵、４２…摘み部、４３…合鍵部、４４…長溝、４５…係合部、５０…取付けベース板、５１…固着手段、５２…貫通孔、５３…ネジ孔。
【図１】
0003914679.tif 000002
【図２】
0003914679.tif 000003
【図３】
0003914679.tif 000004
【図４】
0003914679.tif 000005
【図５】
0003914679.tif 000006
【図６】
0003914679.tif 000007
【図７】
0003914679.tif 000008